(57)【要約】【課題】カメラ側に取付用の専用部材を設けることなくフィルタやコンバージョンレンズなどの光学部品を取り付けることができるとともに、ケースに対する着脱を簡単に行なえるレンズアダプタを提供する。【解決手段】レンズアダプタ４０は、カメラ１００のケース１０に着脱される装着部４２と、該装着部４２に設けられ鏡筒１２を収容する鏡筒収容部４８とを備えている。装着部４２は、揺動可能で係脱可能に結合する第１部材４４と第２部材４６とを有し、第１部材４４と第２部材４６によりケース１０の前後方向において該ケース１０を挟んだ状態でケース１０に装着される。鏡筒収容部４８を構成する筒状壁部５２の前端に金属製のリングが埋め込み固定され、リングの内周面にはフィルタやコンバージョンレンズなどの光学部品を取り付ける雌ねじが形成されている。【選択図】        図１
2004264367.tif 000002
【特許請求の範囲】
【請求項１】
鏡筒がケースの前方に突出した突出位置とケースの内方に収容された収容位置との間で移動する沈胴式カメラに装着されるレンズアダプタであって、
前記ケースに着脱可能に装着される装着部と、前記装着部に設けられ前記鏡筒を収容する鏡筒収容部とを備え、
前記鏡筒収容部は、前記鏡筒を覆う筒状壁部と、前記筒状壁部の前端に設けられ前記鏡筒の前端を露出させる開口とを備え、
前記筒状壁部は、前記突出位置に位置した鏡筒を覆う内径および長さで形成され、
前記開口には、フィルタやコンバージョンレンズなどの光学部品を取り付ける雌ねじが形成されている、
ことを特徴とするレンズアダプタ。
【請求項２】
前記装着部は、揺動可能で互いに係脱可能に結合する第１部材と第２部材とを備え、前記第１部材は前記ケースの前記鏡筒寄りの前面箇所に接触する前壁を有し、前記第２部材は前記ケースの後面に接触する後壁を有し、前記装着部の前記ケースへの装着は、前記前壁と後壁により前記ケースをその前後方向で挟んだ状態でそれら第１部材と第２部材を結合させることによってなされ、前記鏡筒収容部は前記第１部材に設けられていることを特徴とする請求項１記載のレンズアダプタ。
【請求項３】
前記装着部は、揺動可能で互いに係脱可能に結合する第１部材と第２部材とを備え、前記第１部材は前記筒状壁部の一部を構成する半円筒状に形成された第１筒状壁を有し、前記第２部材は前記筒状壁部の残りの部分を構成する半円筒状に形成された第２筒状壁を有し、前記筒状壁部は前記第１筒状壁と第２筒状壁により構成されることを特徴とする請求項１記載のレンズアダプタ。
【請求項４】
前記装着部は、揺動可能で互いに係脱可能に結合する第１部材と第２部材とを備え、前記第１部材は前記ケースの鏡筒寄りの前面箇所に接触する前壁と、前記前壁から半円筒状に突設されて前記筒状壁部の一部を構成し前記開口が設けられた第１筒状壁とを有し、前記第２部材は前記ケースの鏡筒寄りの前面で前記第１部材の前壁が接触する箇所以外の箇所に接触する前壁と、前記前壁から半円筒状に突設され前記筒状壁部の残りの部分を構成する第２筒状壁とを有し、前記鏡筒収容部は前記第１筒状壁と第２筒状壁とにより構成されることを特徴とする請求項１記載のレンズアダプタ。
【請求項５】
前記第１部材および第２部材は前記ケースの側面に接触する側壁をそれぞれ有していることを特徴とする請求項２記載のレンズアダプタ。
【請求項６】
前記第１部材は前記ケースの側面に接触する側壁を有していることを特徴とする請求項４記載のレンズアダプタ。
【請求項７】
前記沈胴式カメラは、前記鏡筒とは別の光学系で構成されたファインダー装置を備え、前記ファインダー装置は被写体像を視認するための接眼窓を有し、前記装着部が前記接眼窓に臨む箇所には、前記接眼窓を開閉する開閉部材が設けられていることを特徴とする請求項１記載のレンズアダプタ。
【請求項８】
前記沈胴式カメラは、ファインダーレンズを有するファインダー装置を備え、前記装着部が前記ファインダーレンズに臨む箇所には、該ファインダーレンズを開閉する開閉部材が設けられていることを特徴とする請求項１記載のレンズアダプタ。
【請求項９】
前記装着部および鏡筒収容部は、共に剛性を有する合成樹脂で形成されていることを特徴とする請求項１記載のレンズアダプタ。
【請求項１０】
前記装着部および鏡筒収容部は、共に剛性を有する合成樹脂で形成され、前記筒状壁部の前端には金属製のリングが埋め込み固定され、前記開口は前記リングの内周面の内側で形成され、前記雌ねじは前記リングの内周面に形成されていることを特徴とする請求項１記載のレンズアダプタ。
【請求項１１】
前記鏡筒収容部は光を遮断する材料で形成されていることを特徴とする請求項１記載のレンズアダプタ。
【請求項１２】
前記ケースには三脚取付用雌ねじが形成され、前記装着部が前記ケースに装着された状態で前記三脚取付用雌ねじに臨む前記装着部の箇所にはねじ挿通孔が形成され、前記ねじ挿通孔を介して前記三脚取付用雌ねじに取付用ねじが螺合されることにより前記装着部が前記ケースに固定されるように構成されていることを特徴とする請求項１記載のレンズアダプタ。
【請求項１３】
前記装着部がケースの下面に臨む箇所には三脚用取付用雌ねじが設けられていることを特徴とする請求項１記載のレンズアダプタ。
【請求項１４】
前記ケースには、撮影を行なう際に用いるシャッタスイッチやズーム操作スイッチなどの各種スイッチが設けられ、前記ケースに前記装着部が装着された状態でこれらスイッチは前記装着部の外側に位置し外部に露出していることを特徴とする請求項１記載のレンズアダプタ。
【発明の詳細な説明】
【０００１】
【発明の属する技術分野】
本発明は沈胴式カメラに装着されるレンズアダプタに関する。
【０００２】
【従来の技術】
従来からデジタルスチルカメラなどにおいて、その鏡筒の先端部に設けられた雌ねじにコンバージョンレンズを取着することによって撮影レンズの倍率を広角側あるいは望遠側に変換するようにしたものがある。
しかしながら、鏡筒がケースの前方に突出した突出位置とケースの内方に収容された収容位置との間で移動する沈胴式カメラにおいては、鏡筒にコンバージョンレンズを取着するとコンバージョンレンズの重量が鏡筒や該鏡筒を駆動する駆動機構に無理な力を与えてしまうので、鏡筒にコンバージョンレンズを取り付けることは困難である。
したがって、沈胴式カメラにおいては、そのケース前面に鏡筒を覆うように突出部を設けるとともにこの突出部にねじ部を形成し、このねじ部に筒状のアダプタの一端を接続し、このアダプタの他端にコンバージョンレンズを接続するように構成されたものが提案されている（特許文献１）。
【０００３】
【特許文献１】
（特開２０００−２３５２２２号公報）
【０００４】
【発明が解決しようとする課題】
しかしながら、上述したアダプタを用いてコンバージョンレンズをカメラに装着する構成では、カメラのケースに前記突出部などの取付用の専用部材を設けなくてはならないため、カメラの製造コストがアップし、ケースのデザインの自由度が制約され、また、アダプタと突出部がねじ部によって取着されるためにアダプタのカメラに対する着脱操作がわずらわしいという欠点がある。
本発明は、このような事情に鑑みてなされ、その目的とするところは、カメラ側に取付用の専用部材を設けることなくフィルタやコンバージョンレンズなどの光学部品を取り付けることができるとともに、ケースに対する着脱を簡単に行なえるレンズアダプタを提供することにある。
【０００５】
【課題を解決するための手段】
本発明は前記目的を達成するために、鏡筒がケースの前方に突出した突出位置とケースの内方に収容された収容位置との間で移動する沈胴式カメラに装着されるレンズアダプタであって、前記ケースに着脱可能に装着される装着部と、前記装着部に設けられ前記鏡筒を収容する鏡筒収容部とを備え、前記鏡筒収容部は、前記鏡筒を覆う筒状壁部と、前記筒状壁部の前端に設けられ前記鏡筒の前端を露出させる開口とを備え、前記筒状壁部は、前記突出位置に位置した鏡筒を覆う内径および長さで形成され、前記開口には、フィルタやコンバージョンレンズなどの光学部品を取り付ける雌ねじが形成されていることを特徴とする。
そのため、レンズアダプタをケースに装着することによりフィルタやコンバージョンレンズなどの光学部品をカメラに取り付けて撮影を行なうことができるため、カメラ側に光学部品取付用の専用部材を設けることが不要となり、カメラのコストアップを抑制するとともに、カメラのデザインの自由度を確保する上で有利となり、また、ケースに対するレンズアダプタの着脱も簡単に行なえる。
【０００６】
【発明の実施の形態】
次に、本発明の実施の形態について図面を参照して説明する。
図１はレンズアダプタのデジタルカメラへの装着を説明する斜視図、図２（Ａ）はレンズアダプタが装着された状態のデジタルカメラを斜め後方から見た斜視図、（Ｂ）は開閉部材が開放された状態の斜視図、図３はレンズアダプタを斜め前方から見た斜視図、図４はコンバージョンレンズが装着された状態のレンズアダプタを前方から見た斜視図、図５はレンズアダプタが装着されるデジタルカメラの斜視図である。
また、図６（Ａ）はコンバージョンレンズが装着された状態のレンズアダプタの正面図、（Ｂ）は（Ａ）のＢ矢視図、（Ｃ）は（Ａ）のＣ矢視図である。図７（Ｄ）は図６（Ａ）のＤ矢視図、（Ｅ）は図６（Ａ）のＥ矢視図、（Ｆ）は図７（Ｄ）のＦ矢視図である。
【０００７】
まず、図１、図５を参照してレンズアダプタが装着されるデジタルカメラ１００（以下カメラという）から説明する。
本実施の形態では、カメラ１００は動画データまたは静止画データを記録媒体としてのメモリカードに記録するものであって、ケース１０を有している。
前記ケース１０は、全体として、上下の高さと、前後の厚さと、これら高さおよび厚さよりも大きな寸法の左右長さを有して横長形状に形成されており、本実施の形態では、カメラ１０の左右は該カメラ１０を後方から見た状態でいうものとする。
前記ケース１０の上面、下面、前面、後面、右側面はほぼ平坦面として形成され、左側面は半円筒面として形成され、前面および後面の左側部は円弧状に形成されている。
前記ケース１０の前面の左寄りの箇所には鏡筒１２が設けられ、該鏡筒１２は図５に示すようにケース１０の前方に突出した突出位置と、ケース１０の内方に収容された収容位置との間で移動するように構成されている。なお、前記ケース１０の前面で前記鏡筒１２の外周を囲む箇所にはケース１０の前面よりも前方に突出する円環状の凸縁部１３が設けられている。
前記鏡筒１２の内側には被写体像を結像する撮影光学系１４が収容保持されている。
前記撮影光学系１４の光軸上でケース１０の内部には、前記撮影光学系１４で結像された被写体像を検出して撮像信号を生成する不図示の撮像素子などが設けられている。本実施の形態では、前記撮影光学系１４は撮影倍率を連続的に変えることができるズーム式として構成されている。
前記ケース１０の前面の上部の右寄りの箇所には、補助光を発光するフラッシュ１６が設けられ、前記ケース１０の上面の左寄りの箇所には撮影を行なうシャッタスイッチ１８が設けられ、該シャッタスイッチ１８の左側の箇所には電源スイッチ１９が設けられている。
前記ケース１０の前面の上部のほぼ中央には前記撮影光学系１４とは別のファインダーレンズ２４が設けられている。
前記ケース１０の右側部には電池およびメモリーカードを収容する不図示の収容室が設けられ、右側面には前記収容室を開閉する開閉蓋２０が設けられている。
前記ケース１０の後面の左寄りの箇所には、前記撮像素子で検出された撮像信号に基づいて生成された画像データなどを表示する液晶装置などからなるディスプレイ２２が設けられている。
前記ケース１０の後面の上部のほぼ中央には接眼窓２６が設けられている。この接眼窓２６は、前記ファインダーレンズ２４で結像された被写体像を視認できるように構成されている。すなわち、これらファインダーレンズ２４と接眼レンズ２６によってファインダー装置が構成されている。
前記ケース１０の後面の上部右寄りの箇所には前記撮影光学系１４の撮影倍率を望遠と広角との間で変更させるためのズーム操作スイッチ２８が設けられている。
前記ケース１０の後面で前記接眼窓２６とズーム操作スイッチ２８の間の箇所には、撮影モード、再生モードなどの切換操作を行なう切換スイッチ３０が設けられている。
前記ケース１０の後面で前記切換スイッチ３０の下方の箇所には種々の設定を行なうための十字スイッチや決定スイッチを含む操作スイッチ３２が設けられている。
前記操作スイッチ３２の左側には、カメラ１００の動作やモードを表示するための複数の表示器３４が設けられている。
【０００８】
次に、以上の構成からなるカメラ１００に装着されるレンズアダプタについて説明する。
図１、図３、図６乃至図７に示すように、レンズアダプタ４０は、前記ケース１０に着脱される装着部４２と、該装着部４２に設けられ前記鏡筒１２を収容する鏡筒収容部４８とを備え、これら装着部４２および鏡筒収容部４８は共に剛性を有する合成樹脂で形成されている。
前記装着部４２は、揺動可能で係脱可能に互いに係脱可能に結合する第１部材４４と第２部材４６とを有し、前記第１部材４４と第２部材４６により前記ケース１０の前後方向において該ケース１０を挟んだ状態でケース１０に装着されるように構成されている。
【０００９】
前記第１部材４４は、ケース１０の下面のほぼ左半部に接触する下壁４４０２と、下壁４４０２の前部から起立されケース１０の前面の左寄り箇所に接触する前壁４４０４と、前壁４４０４の上部から後方に延在しケース１０の上面の左寄り箇所に接触する上壁４４０６と、これら下壁４４０２、前壁４４０４、上壁４４０６の左側を接続しケース１０の左側面に接触する半円筒面状の左側壁４４０８とを有している。
前記上壁４４０６の後端には凹状の被係合部４４１０が設けられている。
【００１０】
前記第２部材４６は、ケース１０の後面のほぼ左半部に接触する後壁４６０２を備え、該後壁４６０２の下端がヒンジ４７を介して前記第１部材４４の下壁４４０２の後端に連結され、これにより前記第１部材４４と第２部材４６は揺動可能に連結されている。
前記後壁４６０２の左側部は、ケース１０の後面の左側部の円弧形状に対応して円弧状に形成されている。
また、ケース１０の上面の左寄り箇所およびケース１０の左側面に接触するように、前記後壁４６０２の左縁から上縁にわたって起立壁４６０４が形成されている。
前記後壁４６０２の上縁に位置する起立壁４６０４の箇所には、左右方向にスライド可能に操作部材４６０６が設けられている。前記操作部材４６０６には前記被係合部４４１０と係脱する係合爪からなる係合部４６０８が一体的に設けられ、これら操作部材４６０６と係合部４６０８は前記係合部４６０８が前記被係合部４４１０に係合する方向に付勢されている。そして、図１、図２に示すように、前記第１部材４４と第２部材４６によりケース１０を挟んだ状態で被係合部４４１０に係合部４６０６を係合することでこれら第１、第２部材４４、４６が結合され、これにより前記装着部４２が前記ケース１０に装着されるように構成されている。
【００１１】
図２に示すように、前記装着部４２を前記ケース１０に装着した状態で、前記ディスプレイ２２に臨む前記後壁４６０２の箇所には、前記ディスプレイ２２を露出させるディスプレイ用開口４６１０が設けられている。
また、前記装着部４２を前記ケース１０に装着した状態で、前記接眼窓２６に臨む前記後壁４６０２の箇所には前記接眼窓２６を露出させる接眼窓用開口４６１２が設けられている。
前記接眼窓用開口４６１２には、左右方向にスライド可能に開閉部材４６１４が設けられており、図２（Ａ）に示すように、前記開閉部材４６１４を左側にスライドすることで前記接眼窓用開口４６１２が閉塞され、図２（Ｂ）に示すように、前記開閉部材４６１４を右側にスライドすることで前記接眼窓用開口４６１２が開放されるように構成されている。
なお、前記装着部４２を前記ケース１０に装着した状態で、前記シャッタスイッチ１８、電源スイッチ１９、ズーム操作スイッチ２８、切換スイッチ３０、操作スイッチ３２は、前記装着部４２の外側に位置し外部に露出している。
【００１２】
前記鏡筒収容部４８は、レンズアダプタ４０をカメラ１００に装着した際に、不要な光が前記撮影光学系１４に進入することを防止するため、光を遮断する材料で構成されている。
前記鏡筒収容部４８は、図３に示すように、前記第１部材４４の前壁４４０４に設けられている。
前記鏡筒収容部４８は、前記鏡筒１２を覆う筒状壁部５０と、前記筒状壁部５０の前端に設けられ前記鏡筒１２の前端の撮影光学系１４を露出させる開口５２とを備えている。
前記筒状壁部５２は、前記突出位置に位置した鏡筒１２を覆う内径および長さで形成されている。
前記筒状壁部５０の前端に金属製のリング５４が埋め込み固定され、前記リング５４の内周面にはフィルタやコンバージョンレンズ６０などの光学部品を取り付ける雌ねじ５６が形成されている。したがって、本実施の形態では、前記リング５４の内周面の内側で、前記鏡筒１２の前端の撮影光学系１４を露出させる開口５２が形成されている。
【００１３】
次に、以上のように構成されたレンズアダプタ４０の作用について説明する。
前記レンズアダプタ４０をケース１０に装着する際には、図３に示すように、前記第１部材４４と第２部材４６を開いた状態とし、前記第１部材４４の前壁４４０４を前記ケース１０の前面に対向させるとともに、前記筒状部材５０の内側に前記鏡筒１２を挿入し、前記第１部材４４の下壁４４０２、左側壁４４０８、上壁４４０６のそれぞれに、前記ケース１０の上面、左側面、下面のそれぞれを接触させつつ押込み、前記第１部材４４の前壁４４０４に前記ケース１０の前面を接触させる。これにより、図１に示すように、前記ケース１０に第１部材４４が装着される。
次いで、前記第２部材４６を前記第１部材４４に対して近づく方向に揺動させ、後壁４６０２をケース１０の後面に、起立部４６０４をケース１０の上面の左寄り箇所およびケース１０の左側面にそれぞれ接触させ、前記係合部４６０８を前記被係合部４４１０に係合させる。
これにより前記第１部材４４と第２部材４６が結合され、前記装着部４２は前記第１部材４４と第２部材４６で前記ケース１０を挟んだ状態で該ケース１０に装着される。
ここで、前記装着部４２の上壁４４０６と下壁４４０２が前記ケース１０の上面と下面にそれぞれ接触し、前記鏡筒収容部４８の筒状壁部５０の基部が前記ケース１０の凸縁部１３に接触することでレンズアダプタ４０の上下方向への動きが規制される。また、前記装着部４２の前壁４４０４と後壁４６０２が前記ケース１０の前面と後面にそれぞれ接触することでレンズアダプタ４０の前後方向への動きが規制される。また、前記装着部４２の左側壁４４０８が前記ケース１０の左側面に接触し、前記鏡筒収容部４８の筒状壁部５０の基部が前記ケース１０の凸縁部１３に接触することでレンズアダプタ４０の左右方向への動きが規制される。これらにより前記レンズアダプタ４０は前記ケース１０に対してがたつくことなく安定した状態で装着される。
【００１４】
図４に示すように、コンバージョンレンズ６０を用いて撮影を行なう場合には、コンバージョンレンズ６０の基部の雄ねじを前記レンズアダプタ４０の鏡筒収容部４８の雌ねじ５６に螺合し、図２、図４に示すようにコンバージョンレンズ６０をレンズアダプタ４０に装着する。
これにより、前記コンバージョンレンズ６０が前記カメラ１００の撮影光学系１４の前方に位置することになり、撮影光学系１４とコンバージョンレンズ６０とを合成した撮影倍率で撮影可能となる。
【００１５】
一方、前記コンバージョンレンズ６０は、撮影光学系１４の撮影倍率を広角側、あるいは、望遠側に変更する機能を有している。したがって、レンズアダプタ４０にコンバージョンレンズ６０を装着した状態では、前記ファインダ装置によって視認される被写体像と、実際にコンバージョンレンズ６０と撮影光学系１４を通して撮像素子で撮像される被写体像とは撮影倍率や画角が異なったものとなる。
したがって、コンバージョンレンズ６０を用いた際には、前記ファインダ装置を用いずに、前記ディスプレイ２２によって被写体像を視認する必要がある。
そのため、前記レンズアダプタ４０にコンバージョンレンズ６０を装着した場合には、図２（Ａ）に示すように、前記接眼窓用開口４６１２を開閉部材４６１６で閉塞すれば、前記ファインダ装置を用いて撮影してしまうことが防止される。
また、フィルタを用いて撮影を行なう場合には、該フィルタの雄ねじを前記ケース１０に装着されたレンズアダプタ４０の鏡筒収容部４８の雌ねじ５６に螺合してフィルタをレンズアダプタ４０に装着する。
これにより、前記フィルタが前記カメラ１００の撮影光学系１４の前方に位置し、フィルタを用いて撮影可能となる。
また、前記レンズアダプタ４０をケース１０から取り外す場合には、前記レンズアダプタ４０の操作部材４６０６を操作することにより、前記係合部４６０８と被係合部４４１０の係合を解除するとともに、前記第２部材４６を前記第１部材４４から離間する方向に揺動させ、前記装着部４２を前記ケース１０の前方に引き出す。これにより、前記レンズアダプタ４０は前記ケース１０から取り外される。
【００１６】
以上説明したように、本実施の形態によれば、レンズアダプタ４０の装着部４２をケース１０に装着することによりフィルタやコンバージョンレンズ６０などの光学部品をカメラ１００に取り付けて撮影を行なうことができる。
そのため、カメラ側に光学部品取付用の専用部材を設けることなくフィルタやコンバージョンレンズを取り付けることができ、カメラのコストアップを抑制するとともに、カメラのデザインの自由度を確保する上で有利となる。
また、第１部材４４と第２部材４６をケース１０の前後方向において該ケース１０を挟みこんだ状態でこれら第１、第２部材４４、４６を結合することにより、レンズアダプタ４０をケース１０に装着できるので、レンズアダプタ４０のケース１０に対する着脱も簡単になされる。
また、レンズアダプタ４０をケース１０に装着した状態では、鏡筒収容部４８の筒状壁部５０の内側に鏡筒１２が位置するので、突出位置にある鏡筒１２に外力が加わわることを確実に防止することができ、鏡筒１２や該鏡筒１２を駆動する駆動機構を保護する上で有利である。
また、レンズアダプタ４０をケース１０に装着した状態では、鏡筒収容部４８の筒状壁部５０の部分を手で保持することができるため、撮影時において手ぶれを防止する上で有利となる。
また、前記接眼窓用開口４６１２を開閉する開閉部材４６１６を設けたので、コンバージョンレンズ６０を用いて撮影を行なう際に誤ってファインダ装置を用いることがなく、撮影ミスを防止する上で有利となる。
なお、本実施の形態では、接眼窓開口４６１２を開閉するように開閉部材４６１６を設けたが、装着部４２が前記ファインダーレンズ２４に臨む箇所に該ファインダーレンズ２４を開閉する開閉部材を設けても同様の効果を得ることができる。
【００１７】
次に、本発明の第２の実施の形態について図面を参照して説明する。
図８はレンズアダプタのデジタルカメラへの装着を説明する斜視図、図９は図８のＡ矢視図、図１０は図８のＢ矢視図である。
また、図１１（Ａ）はレンズアダプタの正面図、（Ｂ）は（Ａ）のＢ矢視図である。図１２（Ｃ）は図１１（Ａ）のＣ矢視図、（Ｄ）は図１１（Ａ）のＤ矢視図である。図１３（Ｅ）は図１１（Ａ）のＥ矢視図、（Ｆ）は図１２（Ｄ）のＦ矢視図である。図１４は図１１（Ｂ）のＸＸ線断面図、図１５は図１１（Ａ）のＹＹ線断面図である。
なお、第２の実施の形態において第１の実施の形態と同様の部材および部分については同一の符号を付して説明する。
【００１８】
まず、レンズアダプタについて説明する。
図８乃至図１３に示すように、レンズアダプタ７０は、前記ケース１０に着脱可能に装着される装着部７２と、前記装着部７２に設けられ前記鏡筒１２を収容する鏡筒収容部７８とを備え、これら装着部７２および鏡筒収容部７８は共に剛性を有する合成樹脂で形成されている。
前記装着部７２は、揺動可能で互いに係脱可能に結合する第１部材７４と第２部材７６とを有し、前記鏡筒収容部７８は、前記鏡筒１２を覆う筒状壁部８０と、前記筒状壁部８０の前端に設けられ前記鏡筒１２の前端を露出させる開口８２とを備えている。
【００１９】
前記第１部材７４は、ケース１０の下面の左半部のうち鏡筒１２寄りの箇所に接触する下壁７４０２と、下壁７４０２の前部から起立されケース１０の前面の左半部のうち鏡筒１２寄りの左側箇所に接触する前壁７４０４と、前壁７４０４の上部から後方に延在しケース１０の上面の左半部のうち鏡筒１２寄りの箇所に接触する上壁７４０６と、これら下壁７４０２、前壁７４０４、上壁７４０６の左側を接続しケース１０の左側面に接触する半円筒面状の左側壁７４０８と、これら下壁７４０２、前壁７４０４、上壁７４０６、左側壁７４０８の後側を接続しケース１０の後面のほぼ左半部の箇所に接触する後壁７４１０とを有している。
【００２０】
前記前壁７４０４の左側部は、ケース１０の前面の左側部の円弧形状に対応して円弧状に形成され、前記後壁７４１０の左側部は、ケース１０の後面の左側部の円弧形状に対応して円弧状に形成されている。
前記下壁７４０２の下面の前寄りの箇所には、図１０に示すように係合溝７４１２が設けられている。
また、前記下壁７４０２の下面の前寄りの箇所で前記係合溝７４１２の後方箇所には取付座７４１３が膨出形成され、該取付座７４１３には矩形板状の金属板７４１４がねじによって取着され、該金属板７４１４には三脚取付用雌ねじ７４１６が設けられている。言い換えると、前記三脚取付用雌ねじ７４１６は前記ケース１０の底面に臨む下壁７４０２箇所に設けられている。
また、前記ケース１０の下壁には不図示の三脚取付用雌ねじが設けられており、前記下壁７４０２を前記ケース１０の下壁に合わせた状態で、前記ケース１０の三脚取付用雌ねじに臨む前記下壁７４０２箇所にはねじ挿通孔７４１８が設けられている。前記ねじ挿通孔７４１８の近傍の下壁７４０２箇所には、取付ねじ７４２１が脱落防止用の支持片７４２２によって保持されて配設されている。
また、前記第１部材７４の前記前壁７４０４、後壁７４１０、上壁７４０６、下壁７４０２を前記ケース１０の前面、後面、上面、下面に接触させた状態で、前記ディスプレイ２２に臨む前記後壁７４１０の箇所には、前記ディスプレイ２２を露出させるディスプレイ用開口７４２０が設けられ、また、前記接眼窓２６に臨む前記後壁７４１０の箇所は前記接眼窓２６を露出させる形状で形成されている。
【００２１】
さらに、前記前壁７４０４からは第１筒状壁８０Ａが突設され、前記第１筒状壁８０Ａの前端には環状壁８００６が設けられている。
前記第１筒状壁８０Ａは、前記筒状壁部８０の一部を構成するものであり、第１筒状壁８０Ａおよび環状壁８００６は光を遮断する材料で形成されている。
より詳細には、前記第１筒状壁８０Ａは、前記突出位置に位置した鏡筒１２を覆う内径および長さで形成されており、鏡筒１２の外周面の左半部から右半部の一部にかけて覆うように半円筒状に形成され、第１筒状壁８０Ａの右側部は開放されている。
なお、図１０に示すように、第１筒状壁８０Ａの上部の左縁には、薄い厚さの薄肉部８００２が形成され、また、第１筒状壁８０Ａの下部の左縁には、前記薄肉部８００２と同様な厚さの薄肉部８００４が形成されている。
前記環状壁８００６の内周に金属製のリング８４が埋め込み固定され、前記リング８４の内周面にはフィルタやコンバージョンレンズ６０などの光学部品を取り付ける雌ねじ８６が形成されている。したがって、本実施の形態では、前記リング８４の内周面の内側で、前記鏡筒１２の前端の撮影光学系１４を露出させる開口８２が形成されている。
なお、前記環状壁８００６の右半部寄りの円弧部分は、薄い厚さの薄肉部８００８で形成されている。
【００２２】
前記第２部材７６は、ケース１０の前面の左半部のうち、鏡筒１２寄りの右側箇所で前記第１部材７４の前壁７４０４が接触する箇所以外の箇所に接触する前壁７６０２と、前記前壁７６０２から突設された第２筒状壁８０Ｂとを有している。
前記第２部材７６は、前記前壁７６０２の上端がヒンジ７７を介して前記第１部材７４の上壁７４０６の前端に連結され、これにより前記第１部材７４と第２部材７６は揺動可能に連結されている。
そして、前記第１部材７４の前記前壁７４０４、後壁７４１０、上壁７４０６、下壁７４０２を前記ケース１０の前面、後面、上面、下面に接触させるとともに、前記第２部材７６を揺動させ第２部材７６の前壁７６０２を前記ケース１０の前面に接触させた状態で、前記係合溝７４１２に臨むように前壁７６０２の下端にＬ字状の操作片７６０８が設けられ、この操作片７６０８には前記係合溝７４１２に係合する係合爪７６１０が設けられている。前記係合溝７４１２に係合爪７６１０が係合することでこれら第１、第２部材７４、７６が結合され、これにより前記装着部７２が前記ケース１０に装着されるように構成されている。また、この状態から前記操作片７６０８の指掛け部７６０８Ａを操作すると、前記係合溝７４１２から係合爪７６１０が外れるように構成されている。
また、上述のように前記装着部７２が前記ケース１０に装着された状態で、前記前壁７６０２の下端には、前記第１部材７４の下壁７４０２のねじ挿通孔７４１８に臨むように起立片７６０４が後方に延在して設けられている。
なお、上述のように前記装着部７２が前記ケース１０に装着された状態で、前記シャッタスイッチ１８、電源スイッチ１９、ズーム操作スイッチ２８、切換スイッチ３０、操作スイッチ３２は、前記装着部７２の外側に位置し外部に露出している。
【００２３】
前記第２筒状壁８０Ｂは、前記筒状壁部８０の残りの部分を構成するものであり、前記第２筒状壁８０Ｂの前端には円弧状に延在する薄肉部８０１４が形成され、第２筒状壁８０Ｂと薄肉部８０１４は光を遮断する材料で形成されている。
より詳細には、前記第２筒状壁８０Ｂは、前記突出位置に位置した鏡筒１２を覆う内径および長さで形成されており、鏡筒１２の外周面の右半部の一部を覆うように半円筒状に形成され、第２筒状壁８０Ｂの左側部は開放されている。
なお、図９に示すように、第２筒状壁８０Ｂの上部の左縁には、薄い厚さの薄肉部８０１０が形成され、また、第２筒状壁８０Ａの下部の左縁には、前記薄肉部８０１０と同様な厚さの薄肉部８０１２が形成されている。
【００２４】
次に、以上のように構成されたレンズアダプタ７０の作用について説明する。
前記レンズアダプタ７０をケース１０に装着する際には、図８に示すように、前記第１部材７４と第２部材７６を開いた状態とし、前記第１部材７４の左側壁７４０８を前記ケース１０の左側面に対向させるとともに、前記第１筒状壁部８０Ａの内側に前記鏡筒１２を対面させ、前記第１部材７４の下壁７４０２、前壁７４０４、上壁７４０６、後壁７４１０のそれぞれに、前記ケース１０の下面、前面、上面、後面のそれぞれを接触させつつ押込み、前記第１部材７４の左側壁７４０８に前記ケース１０の左側面を接触させる。
そして、前記取付ねじ７４２１を前記ねじ挿通孔７４１８を介して前記ケース１０の三脚取付用雌ねじに螺合し、これにより前記第１部材７４が前記ケース１０に固定される。
次いで、前記第２部材７６を前記第１部材７４に対して近づく方向に揺動させ、前壁７６０２をケース１０の前面に接触させる。この際、前記起立片７６０４が前記下壁７４０２に臨むことにより、図１３（Ｅ）、（Ｆ）に示すように、起立片７６０４で前記取付ねじ７４２１の頭部が覆われ、ねじ７４２１の頭部が隠されることで美観性が高められる。
そして、前記係合爪７６１０を前記係合溝７４１２に係合させ、これにより前記第１部材７４と第２部材７６が結合されることで前記装着部７２は前記ケース１０に装着される。
ここで、前記装着部７２の上壁７４０６と下壁７４０２が前記ケース１０の上面と下面にそれぞれ接触し、前記鏡筒収容部７８の筒状壁部８０の基部が前記ケース１０の凸縁部１３に接触することでレンズアダプタ７０の上下方向への動きが規制される。また、前記装着部７２の前壁４４０４、４６０２と後壁７４１０が前記ケース１０の前面と後面にそれぞれ接触することでレンズアダプタ７０の前後方向への動きが規制される。また、前記装着部７２の左側壁７４０８が前記ケース１０の左側面に接触するとともに前記鏡筒収容部７８の筒状壁部８０の基部が前記ケース１０の凸縁部１３に接触することでレンズアダプタ７０の左右方向への動きが規制される。これらにより前記レンズアダプタ７０は前記ケース１０に対してがたつくことなく安定した状態で装着される。
また、前記第１筒状壁８０Ａと第２筒状壁８０Ｂにより前記筒状壁部８０が形成される。この際、図１４、図１５に示すように、前記第１筒状壁８０Ａの薄肉部８００２が前記第２筒状壁８０Ｂの薄肉部８０１０に重ね合わされ、前記第１筒状壁８０Ａの薄肉部８００４が前記第２筒状壁８０Ｂの薄肉部８０１２に重ね合わされ、前記第１筒状壁８０Ａの薄肉部８００８が前記第２筒状壁８０Ｂの薄肉部８０１４に重ね合わされることにより、前記第１筒状壁８０Ａと第２筒状壁８０Ｂとの合わせ面が確実に遮光される。
また、前記薄肉部８００２、８００４、８０１０、８０１２を設けているので、前記薄肉部８００２、８０１０を重ね合わせ、また、前記薄肉部８００４、８０１２を重ね合わせたにも拘わらず前記筒状壁部８０の内周および外周は均一径の内周面および外周面となり、前記薄肉部８００８、８０１４を設けているので、前記筒状壁部８０の前端の環状壁も段差がない均一な環状面となり美観上有利となる。
【００２５】
前記コンバージョンレンズ６０を用いて撮影を行なう場合には、第１の実施の形態と同様に、コンバージョンレンズ６０の基部の雄ねじを前記レンズアダプタ７０の鏡筒収容部７８の雌ねじ８６に螺合してコンバージョンレンズ６０をレンズアダプタ４０に装着する。
これにより、前記コンバージョンレンズ６０が前記カメラ１００の撮影光学系１４の前方に位置することになり、撮影光学系１４とコンバージョンレンズ６０とを合成した撮影倍率で撮影可能となる。
【００２６】
また、フィルタを用いて撮影を行なう場合には、該フィルタの雄ねじを前記ケース１０に装着されたレンズアダプタ７０の鏡筒収容部７８の雌ねじ８６に螺合してフィルタをレンズアダプタ７０に装着する。
これにより、前記フィルタが前記カメラ１００の撮影光学系１４の前方に位置し、フィルタを用いて撮影可能となる。
また、前記レンズアダプタ７０をケース１０から取り外す場合には、前記レンズアダプタ７０の操作片７６０８を操作することにより、前記係合爪７６１０と被係合部７４０４の係合を解除するとともに、前記第２部材７６を前記第１部材７４から離間する方向に揺動させ、前記装着部７２を前記ケース１０の左方に引き出す。これにより、前記レンズアダプタ７０は前記ケース１０から取り外される。
【００２７】
以上説明したように、本実施の形態によれば、フィルタやコンバージョンレンズ６０などの光学部品を取り付けるための光学部品取付用の専用部材をカメラ１００側に設けることが不要となり、カメラのコストアップを抑制するとともに、カメラのデザインの自由度を確保する上で有利となる。
また、第１部材７４と第２部材７６を結合することで装着部７２をケース１０に取着することにより、レンズアダプタ７０をケース１０に装着できるので、レンズアダプタ７０のケース１０に対する着脱を簡単に行なうことができる。
また、レンズアダプタ７０により突出位置にある鏡筒１２に外力が加わわることを確実に防止することができ、鏡筒１２や該鏡筒１２を駆動する駆動機構を保護する上で有利である。
また、鏡筒収容部７８の筒状壁部５０の部分を手で保持することができ撮影時において手ぶれを防止する上で有利となる。
また、前記レンズアダプタ７０に三脚用取付用雌ねじ７４１６を設けたので、前記レンズアダプタ７０のケース１０への装着で該ケース１０の三脚用取付用雌ねじが使用できなくなっても、三脚を用いて撮影することができる。
また、前記取付ねじ７４２１をケース１０の三脚取付用雌ねじに螺合して前記装着部７２をケース１０に固定するので、前記ケース１０に前記レンズアダプタ７０が確実に固定され、三脚によってカメラ１００を確実に支持する上で有利となる。
【００２８】
なお、第２の実施の形態においても、第１の実施の形態と同様に、装着部７２が接眼窓２６に臨む箇所に接眼窓開口を設け、該接眼窓開口を開閉するように開閉部材を設けてもよく、この場合にも、コンバージョンレンズ６０を用いて撮影を行なう際の撮影ミスを防止する上で有利となる。また、レンズアダプタ７０の装着部７２が前記ファインダーレンズ２４に臨む箇所に該ファインダーレンズ２４を開閉する開閉部材を設けても同様の効果を得ることができる。
また、第１の実施の形態においても、第２の実施の形態と同様に、装着部４２にねじ挿通孔を設け、該ねじ挿通孔を介して取付用ねじをケース１０の三脚取付用雌ねじに螺合し、これにより装着部４２をケース１０に固定するように構成することは任意である。
【００２９】
なお、本実施の形態では、レンズアダプタが装着されるカメラをデジタルカメラとして説明したが、本発明は、これに限定されるものではなく、例えばビデオカメラ、フィルムカメラなど種々のカメラに装着されるレンズアダプタに適用可能である。
【００３０】
【発明の効果】
以上説明したように、本発明によれば、カメラ側に取付用の専用部材を設けることなくフィルタやコンバージョンレンズなどの光学部品を取り付けることができるとともに、ケースに対する着脱を簡単に行なえるレンズアダプタを提供することができる。
【図面の簡単な説明】
【図１】図１はレンズアダプタのデジタルカメラへの装着を説明する斜視図である。
【図２】（Ａ）はレンズアダプタが装着された状態のデジタルカメラを斜め後方から見た斜視図、（Ｂ）は開閉部材が開放された状態の斜視図である。
【図３】レンズアダプタを斜め前方から見た斜視図である。
【図４】コンバージョンレンズが装着された状態のレンズアダプタを前方から見た斜視図である。
【図５】レンズアダプタが装着されるデジタルカメラの斜視図である。
【図６】（Ａ）はコンバージョンレンズが装着された状態のレンズアダプタの正面図、（Ｂ）は（Ａ）のＢ矢視図、（Ｃ）は（Ａ）のＣ矢視図である。
【図７】（Ｄ）は図６（Ａ）のＤ矢視図、（Ｅ）は図６（Ａ）のＥ矢視図、（Ｆ）は図７（Ｄ）のＦ矢視図である。
【図８】レンズアダプタのデジタルカメラへの装着を説明する斜視図である。
【図９】図８のＡ矢視図である。
【図１０】図８のＢ矢視図である。
【図１１】（Ａ）はレンズアダプタの正面図、（Ｂ）は（Ａ）のＢ矢視図である。
【図１２】（Ｃ）は図１１（Ａ）のＣ矢視図、（Ｄ）は図１１（Ａ）のＤ矢視図である。
【図１３】（Ｅ）は図１１（Ａ）のＥ矢視図、（Ｆ）は図１２（Ｄ）のＦ矢視図である。
【図１４】図１１（Ｂ）のＸＸ線断面図である。
【図１５】図１１（Ａ）のＹＹ線断面図である。
【符号の説明】
１００……カメラ、１０……ケース、１２……鏡筒、１４……撮影光学系、４０……レンズアダプタ、４２……装着部、４８……鏡筒収容部、５０……筒状壁部、５２……開口、５６……雌ねじ、６０……コンバージョンレンズ、７０……レンズアダプタ、７２……装着部、７８……鏡筒収容部、８０……筒状壁部、８２……開口、８６……雌ねじ。
【図１】
2004264367.tif 000003
【図２】
2004264367.tif 000004
【図３】
2004264367.tif 000005
【図４】
2004264367.tif 000006
【図５】
2004264367.tif 000007
【図６】
2004264367.tif 000008
【図７】
2004264367.tif 000009
【図８】
2004264367.tif 000010
【図９】
2004264367.tif 000011
【図１０】
2004264367.tif 000012
【図１１】
2004264367.tif 000013
【図１２】
2004264367.tif 000014
【図１３】
2004264367.tif 000015
【図１４】
2004264367.tif 000016
【図１５】
2004264367.tif 000017